(57)【特許請求の範囲】
【請求項１】
取付ガイドに着脱自在に取り付け可能なアセンブリであって、前記アセンブリは、
ａ）光源を有する適当な光学素子を一端において備えるハウジングと、
ｂ）スイッチを介して前記光源を点灯させるバッテリーと、
ｃ）前記ハウジングに設けられ、ラッチを備えた少なくとも二つの横部材であって、前記横部材は、長手方向のレール溝を有し、前記ハウジング内への縮引位置と伸張位置との間で可動であり、前記横部材を前記縮引位置と前記伸長位置にロックするロック手段をさらに含み、
少なくとも二つの前記横部材が前記縮引位置にあるとき、前記少なくとも二つの横部材は前記ハウジングへ縮引し、
少なくとも二つの前記横部材が前記伸長位置にあるとき、少なくとも二つの前記横部材はハウジングから突出し、フランジを有する前記取付ガイドに選択的に適合される少なくとも二つの前記横部材と；
ｄ）適合されたときに、前記取付ガイド上の前記アセンブリの長手方向の運動を防止する手段と；
を含んでなる取り付け可能なアセンブリ。
【請求項２】
請求項１に記載の取り付け可能なアセンブリであって、
ａ）前記ハウジングは少なくとも二つの横部材を受けるためのハウジングの反対側に位置する少なくとも一つのチャンネルを有し、
ｂ）少なくとも二つの前記横部材は、少なくとも上部溝及び下部溝によって画定された平らな内面を有し、少なくとも二つの前記横部材の前記内面は、前記ハウジングに隣接し、前記下部溝に隣接しかつ平行な長手方向溝が設けられ、
ｃ）前記取付ガイドは平らで前記ハウジングに平行であり、かつ、少なくとも二つの前記横部材の前記平らな内面に垂直であり、
前記取付ガイドは、互いに平行で外側に突出しかつ前記取付ガイドに対して平面的なフランジを含み、
少なくとも二つの前記横部材の前記縦方向の溝は、前記取付ガイド上の対応するフランジに摺動自在に係合する形状及び大きさである取り付け可能なアセンブリ。
【請求項３】
請求項２に記載の取り付け可能なアセンブリであって、少なくとも二つの前記横部材は少なくとも二つの前記横部材を前記縮引位置と前記伸長位置にロックするロック手段をさらに含む取り付け可能なアセンブリ。
【請求項４】
請求項２に記載の取り付け可能なアセンブリであって、少なくとも一つの前記チャンネルは少なくとも二つの前記横部材を受ける形状とサイズに設けられ、少なくとも一つの前記チャンネルはその中に前記横部材を維持するための支持面を含む取り付け可能なアセンブリ。
【請求項５】
請求項２に記載の取り付け可能なアセンブリであって、少なくとも一つの前記チャンネルは実質的にＵ字形であり前記対応する少なくとも二つの横部材を受ける大きさに設けられ、前記Ｕ字形チャンネルは、少なくとも二つの前記横部材の上縁から下縁まで延伸する対応する溝に摺動自在に係合するために前記Ｕ字形チャンネルから外側にかつ垂直に突出する少なくとも一つの案内部材を有する取り付け可能なアセンブリ。
【請求項６】
請求項２に記載の取り付け可能なアセンブリであって、前記取付ガイドは前記取付ガイドの縦軸に対し垂直な複数の交差スロットを有し、少なくとも二つの前記横部材は、外れ止めであって、
ａ）上部と下部であって、前記上部と下部のそれぞれが前記ハウジングの側面に隣接する内面と、外面を有する上部と下部と；
ｂ）前記外れ止めの前記下部の前記内面から内側に突出して前記交差スロットのいずれか１つと係合する外れ止め突起部と；
を有する外れ止めをさらに有し、前記外れ止めは内側に付勢され、
かつ、前記外れ止めは作動位置と非作動位置と枢動自在であり、
ｉ）前記外れ止めが前記作動位置にあるときに、前記外れ止め突起が前記交差スロットに突出して前記電灯アセンブリの前記取付ガイドでの縦方向運動を防止する手段のために前記外れ止めが設けられ；
ｉｉ）前記外れ止めが前記非作動位置にあるときに、前記上部は前記ハウジングに向かって内側に枢動されるとともに前記下部は前記ハウジングから遠ざかるように外側に枢動され、前記ラッチ突起が前記交差スロットのいずれかと係合することを防止する；
取り付け可能なアセンブリ。
【請求項７】
請求項６に記載の取り付け可能なアセンブリであって、少なくとも一つの前記チャンネルは支持面と側壁を含み、前記支持面は対応する１つの前記外れ止め突起を受ける形状及びサイズに形成された窪みを含み、少なくとも二つの前記横部材が前記縮引位置にあるとき、前記外れ止め突起が対応する前記窪みに係合するように設けた取り付け可能なアセンブリ。
【請求項８】
請求項１に記載の取り付け可能なアセンブリであって、前記ハウジングの中に少なくとも二つの前記横部材が縮引するうえで途切れない形状をした取り付け可能なアセンブリ。
【請求項９】
着脱自在に取り付け可能なハウジングを前記取付ガイドに取り付けるための装置であって、前記装置は、少なくとも二つの横部材であって、前記少なくとも二つの横部材を移動可能に収納する前記ハウジングに関して縮引位置と伸張位置との間で可動する横部材を備え、
ａ）少なくとも二つの前記横部材が縮引位置にあるとき、少なくとも二つの前記横部材が前記ハウジングに縮引し；
ｂ）少なくとも二つの前記横部材が前記伸長位置にあるとき、少なくとも二つの前記横部材はハウジングから突出し、前記取付ガイドに選択的に係合するように適合され；
ｃ）少なくとも二つの前記横部材は、さらに前記縮引位置と前記伸長位置にあるとき少なくとも二つの前記横部材をロックする方法を提供する；
ことを含んでなる装置。
【請求項１０】
請求項９に記載の装置であって、少なくとも二つの前記横部材は、
ａ）少なくとも一つが上部溝及び下部溝によって拘束された実質的に平らな内面を有し、
前記ハウジングに隣接し、縦方向の溝の近くに設けられ、前記下部溝に平行であり、
前記縦方向の溝は、前記取付ガイド上のフランジに摺動自在に係合する形状及び大きさであり、
ｂ）前記取付ガイドの縦軸に対し垂直に設けられた複数の交差スロットのうち一つを係合するための外れ止めを含んでなる装置。
【請求項１１】
請求項１０に記載の装置であって、前記外れ止めは、
ａ）上部と下部であって、前記上部と下部のそれぞれが前記ハウジングの側面に隣接する内面と、外面を有し；
ｂ）前記外れ止めの前記下部の前記内面から内側に突出して前記交差スロットのいずれか１つと係合するラッチ突起部と；
を有する外れ止めをさらに有し、
前記外れ止めは内側に付勢され、前記外れ止めは作動位置と非作動位置と枢動自在であり、
ｉ）前記外れ止めが前記作動位置にあるときに、前記外れ止め突起が前記ハウジングの前記側部内前記交差スロットに突出して前記取付ガイドでの縦方向運動を防止するために前記外れ止めが設けられ；
ｉｉ）前記外れ止めが前記非作動位置にあるときに、前記上部は前記ハウジングに向かって内側に枢動されるとともに前記下部は前記ハウジングから遠ざかるように外側に枢動され、前記ラッチ突起が前記交差スロットのいずれかと係合することを防止する装置。
【請求項１２】
請求項１に記載の取り付け可能なアセンブリであって、二つの横部材を有するアセンブリ。
【請求項１３】
請求項２に記載の取り付け可能なアセンブリであって、ハウジングに位置された二つのチャンネルを有するアセンブリ。
【請求項１４】
請求項９に記載の装置であって、二つの横部材を有する装置。
【発明の詳細な説明】
【技術分野】
【０００１】
本発明は一般に電灯装置の分野に関し、特に、取付ガイドへ着脱自在に取付可能な、所定形状の電灯アセンブリに関する。
【発明の背景】
【０００２】
当技術分野において、特定の装置に取り付けることができ、またはその装置上に位置する単一目的の電灯アセンブリに関する多くの設計がある。また、独立した電灯アセンブリとして使用される電灯アセンブリに関する多くの設計がある。しかしながら、適当な装置に容易に着脱自在に取り付けられ、かつ、分離して別個に独立した電灯アセンブリとして容易に使用できるように設計されているものは少ない。
【０００３】
より詳しくいうと、兵器の特定の分野において、レーザ、照準器、閃光装置、または火器に取り付けられる他のアクセサリーなどのような多数の目標（ターゲット）照明及び／又は目標照準アクセサリーがあった。なぜならば、この場合、１つの主要な関心事は、適切な目標照明及び／又は興味の目標を照準することであるからである。これらのアクセサリーの大部分は、アクセサリーを兵器に安全に案内しロックするラッチ及びレール溝機構と対照的に、アクセサリーを兵器に固定するために刃止めねじ、キャプテブスクリュー（拘束ねじ）、ナットボルト締め、他の同様のテクニックといった様々な形態を使用する。そのような先行技術のアクセサリーの例は米国特許第２００１／００２７６２０Ａ１号公開公報、米国特許第２００１／００４５０４６Ａ１号公開公報、米国特許第５,５５５,６６２号公報、米国特許第５,５８４,１３７号公報、米国特許第５,９４１,４８９号公報、米国特許第６,５６５,２２６号公報に示される。
【０００４】
理解されるように、まさしく言及した目標照明及び／又は目標照準アクセサリーは多くの警告を提示する。従って、そのようなアクセサリーを兵器容易に着脱することができない。多くの場合、そのような着脱は特定のツールまたは両手の使用を必要とする。したがって、兵器ユーザは、正確な引き金となるように、片手で単に目標照明及び／又は目標照準装置を把持して兵器に容易にそれを取り付けることができない。
【０００５】
他の関連する先行技術文献はまた、兵器へのかなり異なるタイプの取付方法を提示し、または目標照明及び／又は目標照準アクセサリーに連結される標準レールを用いない兵器にかかわる。そのような先行技術のアクセサリーの例は米国特許第２００２／０００７５８１Ａ１号公開公報、米国特許第２００２／０１００２０４Ａ１号公開公報、米国特許第４,７０７,７７２号、米国特許第４,７７７,７５４号、米国特許第５,０４０,３２２号、米国特許第５,７２７,３４６号、米国特許第５,８１６,６８３号、米国特許第５,８２２,９０５号、米国特許第６,３１８,０１４号、米国特許第６,５７４,９０１号に示される。
【０００６】
そのような先行技術装置のここでの問題は、そのような装置がかさばることに加えて、取り付け過程が厄介なことである。より詳しく述べると、アクセサリーを兵器に容易に取り付けることができないなら、アクセサリーに特定の取り付け装置を提供しなければならず、そのことは兵器ユーザの自動運動性を減少させる。
【０００７】
先行技術においてまた知られているものは、アクセサリー装置を兵器のフレームに取り付けるためのクランプ機構である。このクランプ機構は、さらに、附属品装置の実際の着脱を別のブラケット又は他の機械構成要素を使用することなく、ユーザが片手で実行できることを特徴としている。これらの構成要素は米国特許第５,４３０,９６７号（ウッドマン他）に開示される。
【０００８】
さらに、先行技術の目標照明及び／又は照準装置はすべて、非人間工学的デザインの突出したクランプ機構により、独立したハンドヘルド電灯アセンブリとしての使用に適している。さらに、その露出したクランプ機構は、しばしば、衝撃を受けると破損し、ほこり、水他の汚染物質に汚染される傾向がある。
【０００９】
上記の先行技術文献から明らかなように、取付ガイドに容易に取り付け可能であり、好適応用例において兵器上に提供でき、また、独立した電灯アセンブリとして分離して容易に使用できる電灯アセンブリが存在しなかった。
【発明の概要】
【００１０】
本発明の目的は上記のニーズを満たす電灯アセンブリを提供することである。
【００１１】
より詳しく述べると、本発明の目的は、如何なる便利な装置上に提供された取付ガイドに容易に取り付け可能な電灯アセンブリであって、取付ガイドから容易に取り外すことができ、分離されて元の所定形状に復帰して独立した電灯アセンブリとして使用可能なものを提供することである。
【００１２】
本発明によると、この目的は、所定形状を有する電灯アセンブリであって、電灯アセンブリが上に置かれる兵器他の装置上に提供される取付ガイドに着脱自在に取付可能な電灯アセンブリによって達成される。電灯アセンブリは、光源を有する適当な光学装置を一端において有するハウジングと、スイッチを介してその光源に電力を与えるバッテリーを含む。電灯アセンブリのハウジングは、縮引位置と伸長位置との間に移動される１組の横部材を有する。横部材が縮引位置にあるとき、電灯アセンブリは前記所定形状を有する。横部材が伸長位置にあるとき、これらの部材は、電灯アセンブリが上に置かれる兵器又は他の装置の上に提供された取付ガイドと係合するように、適合される。横部材が伸長位置にあるとき、それらはラッチロックによって所定位置にロックされる。望ましくは、各ラッチロックは、取付ガイドの対応するフランジに摺動自在に係合する形状及びサイズに形成された長手方向のレール溝を備える。本発明の電灯アセンブリのハウジングは、取付ガイド上で電灯アセンブリが長手方向に運動することを防止する手段をさらに含む。
【００１３】
本発明の好適実施例によると、取付ガイドは複数の交差スロットを備え、各横部材は、上部と下部を有するラッチをさらに含む。ラッチの上部と下部は、ハウジングの側面に隣接する内面と、外面を有する。ラッチの下部は、また、ラッチの下部内面から突出して上記交差スロットのいずれか１つと係合するラッチ突起を有する。ラッチは作動位置と非作動位置の間で枢動可能であり、ラッチが該作動位置にあるとき、それは通常内側に付勢されてラッチ突起がハウジングの側部へ突出して、電灯アセンブリが取付ガイド上で縦方向に運動することを防止する前記手段を提供する。ラッチが非作動位置にあるとき、上部はハウジングに向かって内側に枢動されると共に、下部はハウジングから遠ざかるように外側に枢動して、ラッチ突起が交差スロットに係合することを防ぐ。
【００１４】
本発明のさらなる好適実施形態において、取付ガイドは兵器の上に提供される。
【００１５】
また、本発明のさらなる態様によると、上記構成を持つ電灯アセンブリを取付ガイドに着脱自在に取り付ける方法が提供される。
【００１６】
上記構成を持つ電灯アセンブリを取付ガイドに着脱自在に取り付ける方法は以下のステップを含む。
【００１７】
ａ）上で説明される電灯アセンブリを提供する；
ｂ）ラッチを非作動位置に押し下げて、横部材が伸長位置に位置してラッチロックが係合するまで横部材を摺動させる；
ｃ）電灯アセンブリの長手方向に延伸するレール溝を取付ガイドのフランジに係合させる；
ｄ）ラッチをその非作動位置へ移動させてその位置を維持すると共に、電灯アセンブリを取付ガイド上で摺動させる；
ｅ）ラッチをその作動位置へ移動させて電灯アセンブリを取付ガイドの所定位置に固定する。
【００１８】
望ましくは、着脱自在に電灯アセンブリを取り付けるための該方法は取付ガイドから電灯アセンブリを取り外すステップをさらに含み、該取り外しステップが以下のサブステップを含む。
【００１９】
ｆ）ラッチをその非作動位置に移動させてその位置を維持すると共に、電灯アセンブリを長手方向に摺動させて取付ガイドのフランジから離間させ；
ｇ）ラッチロックを押し下げてラッチを摺動させ電灯アセンブリ内へ戻して、電灯アセンブリの所定形状を回復させる。
【００２０】
さらなる好適実施態様では、方法は、兵器上に取付ガイドを取り付ける初期段階をさらに含む。
【００２１】
理解されるように、発明による電灯アセンブリは、いかなる適当な装置上に提供される（一体的に取り付けられ又は適切なファスナを介して取り付けられる）適当に形成された取付ガイド上に取り付けられるという点と、装置及び取付ガイドから取り外して別個の単体として使用可能である点で、非常に多能である。
【００２２】
本発明の上記及び他の特徴と、目的と、利点は、添付図面に関してなされる本発明の好適実施形態の以下の非制限的な説明を読むことによってより良く理解されるであろう。
【００２３】
発明は好ましい実施の関して説明されるが、発明の範囲をそのような形態に制限することを意図するものではないことが理解される。反対に、添付した特許請求の範囲よって定められるすべての代替例、変更例、および同等物を含むことを意図するものである。
【発明の好ましい実施の形態】
【００２４】
以下の説明では、図面の同様の特徴部に同様の参照番号を付し、そして、図を簡略化するために、前の図で既に特定されたいくつかの構成要素については、いくつかの図において参照していない。
【００２５】
本説明を通して、本発明の電灯アセンブリは、兵器上に提供された取付ガイドに関してほとんど説明され図示されるが、該取付ガイドは、どのような適当な装置にも提供できることが理解されるべきである。そのような装置は、非限定的実施例として、ペイントボールガン、自転車、保護ヘルメット（採掘、洞窟または他の応用例に使用するためのもの）他のかぶり物、船、リストバンド、スキューバダイビング用具、ベルトクリップ、ビル、ポスト、他の構築物、テント、その他照明アセンブリを有利に利用できるいかなる装置である。
【００２６】
図１Ａ乃至１Ｄと、２Ａ乃至２Ｃに言及し、本発明の好適実施形態の電灯アセンブリ１０を示す。電灯アセンブリ１０は、所定の形状を有し、取付ガイド２０（これは、望ましくは、兵器の上に提供される）に着脱自在に取り付けられる。電灯アセンブリのハウジングの横部材に設けた長手方向に延伸するレール溝３２に摺動係合するいかなる取付ガイド（望ましくは、平行フランジ２２を備える）を使用できる。これはレールシステム（その１例はＭ−１９１３（ピカチニー（Picatinny）レール）他同等物である）のようないかなる案内部を電灯アセンブリに係合させると共に、興味の兵器上に置かれる興味の装置に取り付けることを可能にする。
【００２７】
電灯アセンブリ１０は、望ましくは２つの側部を有するハウジングを含む。電灯アセンブリ１０のハウジングの各側部は、望ましくは該各側部に形成した対応するチャンネル（溝）４０によって受けられる１組の横部材３０を有する。図１Ａ乃至１Ｄに示すように、望ましくは、各チャンネル４０は支持面４２と、横部材３０を各チャンネル４０の中に維持するためのストップスクリュ４１を含む。代替的に、図２Ａ乃至２Ｃに示すように、チャンネル４０は実質的にＵ字形であり、対応する横部材３０を受ける大きさとされる。このチャンネル４０は、チャンネル４０（望ましくはその支持面４２）から突出し摺動して対応する溝４８に係合する案内部材４６を備える。
【００２８】
横部材３０は図１Ｃに示す縮引位置と、図１Ｄに示す伸長位置の間で、少なくとも距離ｘと等しい距離だけ可動である。距離ｘは、長手方向（に延伸する）レール溝３８と、図１Ｂと１Ｄに示すハウジングの最も低い点Ａとの間の距離である。
【００２９】
横部材３０を縮引位置に残すために、ロック手段がラッチロック３１によって提供される。同様に、横部材３０が伸長位置を超えて延伸するのを防止するロック手段がストップスクリュ４１によって提供される。
【００３０】
横部材３０がそれらの縮引位置にロックされるとき、これらの横部材３０はハウジングを係合するように設けられている。図１Ｄについて特に言及し、各チャンネル４０が支持面４２と側壁４４を含むことを理解できる。
【００３１】
横部材３０がそれらの伸長位置にロックされるとき、それらは、電灯アセンブリ１０を取付ガイド２０上で摺動させるために、ハウジングの最下点Ａができるだけ取付ガイド２０の近くになるように置かれる。より詳しく図１Ｂに言及すると、それぞれの横部材３０が内（実質的に内側）平面３２を含むことを理解できる。横部材３０の内平面３２はハウジングの側部に隣接し、かつ、長手方向レール溝３８を備えるという特徴をさらに有する。長手方向レール溝３８は取付ガイド２０の対応するフランジ２２に摺動自在に係合する形状及び大きさに設けられている。
【００３２】
望ましくは、取付ガイドは複数の交差スロット６０を有し、各横部材３０は、上部７２と下部７４を備えるラッチ７０をさらに含む。上部７２と下部７４はそれぞれ、ハウジングの側部に隣接する内面、および外面を有する。
【００３３】
各ラッチは、交差スロット６０のどれかと係合するためにラッチの下部７４の内面から内側に突出するラッチ突起７８をさらに有する。各ラッチ７０は、望ましくはピボット軸回りに回転して作動位置と非作動位置の間で回転移動可能あることをさらに特徴としている。
【００３４】
本発明の範囲から逸脱することなく、電灯アセンブリの長手方向の運動を防ぐ手段は、取付ガイドに最も近いハウジングの下の領域から下方外側に突出する少なくとも２つ、好ましくは複数の突起を含むことが出来ることは当業者にとっても明らかである。そのような突起はそれらの作動位置において前記ラッチ突起７８と同じ目的を果たす。
【００３５】
再び図１Ｂ及び１Ｃに言及し、ハウジングは、その一端において光源１４を有する適当な光学装置１２を有し、また、押しボタンスイッチ１９のようなスイッチを介して光源１４（例えば、ＬＥＤアセンブリ、白熱電球及び／又はレーザ又はそれらの組み合わせなど）に電力を供給するバッテリー１６を有する。スイッチは、機械作動、電子作動、無線周波数制御のスイッチを含む（但し、これらに限定されない）、いかなるタイプの電気機械式のスイッチング装置とすることができる。電灯アセンブリ１０は、ハウジング内に収納された適当な光学装置、バッテリー及びスイッチが電灯アセンブリ１０の形状をあらかじめ画定する（所定形状を持つ）と言う点で特徴付けられる。この「所定形状」により、全体で考えたときに、電灯アセンブリ１０は有利なとぎれないプロフィールを有することが理解される。より詳しく述べると、電灯アセンブリ１０のとぎれないプロフィールは、ハウジングのすべての構成要素が同じ一般的な形を有することを意味する（但し、光学装置部分がバッテリー部分より大きく、バッテリー部分がハウジングのスイッチ部分より小さい）。電灯アセンブリ１０は、ユーザが片手でゆったりそれをつかむことができるように、好ましくは人間工学的な形を有することができる。電灯アセンブリ１０を長方形、楕円形、または、三角形の形とすることができるが、実質的に筒状の形を有することが望ましい。
【００３６】
図１Ａと１Ｃからもまたわかるように、電灯アセンブリのとぎれないプロフィールは、横部材３０が縮引位置にあるときに最も良く示される。より詳しく述べると、横部材の外面はもちろん、ラッチの上部分７２と下部分７４の両方の外面は、これらがハウジングの残りの部分と共にこのとぎれないプロフィールを形成するように成形される。
【００３７】
さらに、図２Ａ乃至２Ｃから最も良くわかるように、電灯アセンブリ１０を有利なことに取付ガイド２０の寸法と同様の寸法にすることができる。より詳しく述べると、電灯アセンブリ１０の幅は望ましくは取付ガイドの幅とある程度同である。理解できるように、電灯アセンブリと取付ガイドの幅はこれらの要素の主軸に垂直な軸上で決定される。このように、目標照明及び／又は目標照準の特定の分野において、本発明は目標照明及び／又は目標照準装置アクセサリーとしてかさばる電灯アセンブリ（これは、自警、精度、および迅速性が基本とされる場所においては実用的でない）を使用する必要性を軽減することは明確である。
【００３８】
本発明はまた、上記構成の電灯アセンブリを望ましくは兵器上に提供される取付ガイドに着脱自在に取り付ける方法を提供する。この方法は以下のステップを含む。
【００３９】
ａ）上で説明される電灯アセンブリを提供する；
ｂ）横部材が伸長位置へ摺動してラッチロックが係合するようにラッチを非作動位置に押し下げ；
ｃ）横部材の長手方向延伸レール溝を取付ガイドのフランジに係合させ；
ｄ）ラッチをそれらの非作動位置へ移動させてその位置を維持すると共に、電灯アセンブリを取付ガイド上で摺動させ；そして
ｅ）電灯アセンブリを取付ガイドに固定するためにラッチをそれらの作動位置に移動させる。
【００４０】
着脱自在にさらに電灯アセンブリを取り付けるための方法は望ましくは、取付ガイドから電灯アセンブリを外すステップを含む。このステップは以下のサブステップを含む。
【００４１】
ｆ）ラッチをそれらの非作動位置へ移動させその位置を維持すると共に、電灯アセンブリを長手方向に摺動させて取付ガイドのフランジから離間させるサブステップと；
ｇ）ラッチが摺動して電灯アセンブリ内へ戻って電灯アセンブリが所定形状に回復するようにラッチロックを押し下げるサブステップ。
【００４２】
本発明の好適な実施の形態を添付図面に図示してここに詳細に説明したが、本発明はこれらの実施の形態に正確に制限されるものではなく、本発明の範囲又は技術的思想から逸脱することなくこれらの実施の形態に様々な変形や修正をなすことができることが理解されるであろう。本説明によって、提案された電灯アセンブリが特に兵器に取り付けることができることは明確である。しかしながら、本発明の電灯アセンブリが兵器の上で使用されることに制限されず、例えば、自転車、または、保護ヘルメットに取り付けるなどの便利ないかなる応用例もまた想定され、本発明に含まれることが理解されるべきである。
【図面の簡単な説明】
【００４３】
【図１】図１Ａは発明の好適実施例による電灯アセンブリの側面図である。図１Ｂは図１Ａに示す電灯アセンブリの正面図であって、横部材が伸長位置に位置する状態を示すものである。図１Ｃは図１Ａに示す電灯アセンブリを前方斜視図である。図１Ｄは図１Ｂに示す電灯アセンブリを前方斜視図である。
【図２】図２Ａは一般的な兵器の案内部に取り付けられた図１Ａの電灯アセンブリの側面斜視図である。図２Ｂはライフル銃の案内部などの長い銃に取り付けられた図１Ａの電灯アセンブリの側面斜視図である。図２Ｃはハンドガンの案内部に取り付けられた図１Ａの電灯アセンブリの側面斜視図である。
【図１Ａ】
0004996455.tif 000002
【図１Ｂ】
0004996455.tif 000003
【図１Ｃ】
0004996455.tif 000004
【図１Ｄ】
0004996455.tif 000005
【図２Ａ】
0004996455.tif 000006
【図２Ｂ】
0004996455.tif 000007
【図２Ｃ】
0004996455.tif 000008